(57)【要約】  移動部の位置情報を検出する位置検出部と、前記移動部の移動方向に沿って複数の極性を持つ磁石と、前記磁石との相対的な移動に伴う磁界の変化によって磁気特性が変化する感磁性部を有し、前記感磁性部の磁気特性に基づいて電気信号を発生する電気信号発生部とを備え、前記感磁性部が、前記移動方向に直交する方向における前記磁石の側面と間隔を置き、かつ前記磁石の少なくとも一部の磁力線の接線方向に前記感磁性部の長さ方向が直交するように配置される、エンコーダ装置である。磁石の不要な磁界に起因するノイズを少なくして安定した電気信号を発生させて、検出結果の信頼性の向上を図ることができる。
2019139023.tif 000002
【特許請求の範囲】
【請求項１】
移動部の位置情報を検出する位置検出部と、
前記移動部の移動方向に沿って複数の極性を持つ磁石と、
前記磁石との相対的な移動に伴う磁界の変化によって磁気特性が変化する感磁性部を有し、前記感磁性部の磁気特性に基づいて電気信号を発生する電気信号発生部とを備え、
前記感磁性部が、前記移動方向に直交する方向における前記磁石の側面と間隔を置き、かつ前記磁石の少なくとも一部の磁力線の接線方向に前記感磁性部の長さ方向が直交するように配置される、エンコーダ装置。
【請求項２】
前記電気信号発生部は、前記磁石の磁力線を前記感磁性部の長さ方向に導くための磁性体を有する請求項１に記載のエンコーダ装置。
【請求項３】
前記磁石の磁力線のうち、前記感磁性部の長さ方向の略中心を通過する磁力線の接線方向に対して略直交するように、前記感磁性部の長さ方向が配置される請求項１又は２に記載のエンコーダ装置
【請求項４】
前記磁石は、前記移動方向に沿って平板状で、前記移動方向に直交する厚さ方向にも互いに異なる極性を有し、
前記感磁性部は、長さ方向が前記平板状の磁石の一面に平行になるように、前記磁石の側面に配置される請求項１から３のいずれか一項に記載のエンコーダ装置。
【請求項５】
前記電気信号発生部は、前記移動方向において同じ位置にある前記磁石の互いに異なる極性の２つの部分からの磁力線を前記感磁性部の長さ方向に導くための磁性体を有する請求項４に記載のエンコーダ装置。
【請求項６】
前記電気信号発生部は、前記移動方向において異なる位置にある前記磁石の互いに異なる極性の２つの部分からの磁力線を前記感磁性部の長さ方向に導くための磁性体を有する請求項４に記載のエンコーダ装置。
【請求項７】
前記磁石は、前記移動方向に沿って平板状で、前記移動方向に直交する幅方向にも互いに異なる極性を有し、
前記感磁性部は、長さ方向が前記平板状の磁石の一面に直交するように、前記磁石の側面に配置される請求項１から３のいずれか一項に記載のエンコーダ装置。
【請求項８】
前記電気信号発生部は、前記移動方向において異なる位置にある前記磁石の互いに異なる極性の２つの部分からの磁力線を前記感磁性部の長さ方向に導くための磁性体を有する請求項７に記載のエンコーダ装置。
【請求項９】
前記電気信号発生部は、前記幅方向において異なる位置にある前記磁石の互いに異なる極性の２つの部分からの磁力線を前記感磁性部の長さ方向に導くための磁性体を有する請求項７に記載のエンコーダ装置。
【請求項１０】
前記磁石は、前記移動方向に沿って平板状で、前記移動方向に直交する幅方向にも互いに異なる極性を有し、
前記感磁性部は、長さ方向が前記平板状の磁石の一面に平行であるとともに、前記磁石の側面に垂直になるように、前記磁石の側面に配置される請求項１から３のいずれか一項に記載のエンコーダ装置。
【請求項１１】
前記電気信号発生部は、前記移動方向において前記感磁性部が配置される位置と異なる位置にある前記磁石の部分からの磁力線を前記感磁性部の長さ方向に導くための磁性体を有する請求項１０に記載のエンコーダ装置。
【請求項１２】
前記磁石は、前記移動方向に沿って平板状で、前記移動方向に直交する厚さ方向にも互いに異なる極性を有し、
前記感磁性部は、長さ方向が前記平板状の磁石の一面に平行であるとともに、前記磁石の側面に垂直になるように、前記磁石の側面に配置される請求項１から３のいずれか一項に記載のエンコーダ装置。
【請求項１３】
前記電気信号発生部は、前記移動方向において同じ位置にある前記磁石の２つの部分からの磁力線を前記感磁性部の長さ方向に導くための磁性体を有する請求項１２に記載のエンコーダ装置。
【請求項１４】
前記電気信号発生部は、前記移動方向において互いに異なる位置にある前記磁石の一面及び他面の２つの部分からの磁力線を前記感磁性部の長さ方向に導くための磁性体を有する請求項１２に記載のエンコーダ装置。
【請求項１５】
前記感磁性部は、前記磁石の移動に伴う磁界の変化によって大バルクハウゼンジャンプを生じる、請求項１から１４のいずれか一項に記載のエンコーダ装置。
【請求項１６】
前記電気信号発生部は、前記移動部の移動によってパルス状の電力を発生する、請求項１から１５のいずれか一項に記載のエンコーダ装置。
【請求項１７】
前記電気信号発生部で発生する電気信号に応じて、前記位置検出部で消費される電力の少なくとも一部を供給するバッテリーを備える請求項１から１６のいずれか一項に記載のエンコーダ装置。
【請求項１８】
前記電気信号発生部で発生する電気信号に応じて、前記バッテリーから前記位置検出部への電力の供給の有無を切り替える切替部を備える、請求項１７に記載のエンコーダ装置。
【請求項１９】
前記バッテリーは、一次電池又は二次電池を含む、請求項１７又は１８に記載のエンコーダ装置。
【請求項２０】
前記位置検出部は、前記移動部の移動によって互いの相対位置が変化する位置検出用磁石及び磁気検出部を含み、該位置検出用磁石が形成する磁界に基づいて前記位置情報を検出し、
前記磁気検出部は、該位置検出用磁石が形成する磁界を前記バッテリーから供給される電力を用いて検出する、請求項１７から１９のいずれか一項に記載のエンコーダ装置。
【請求項２１】
前記位置検出用磁石は、前記電気信号発生部が電気信号を発生するための磁界の変化を起こす前記磁石が兼用する請求項２０に記載のエンコーダ装置。
【請求項２２】
前記位置検出部は、
前記移動部と連動して移動するスケールと、
前記スケールに光を照射する照射部と、
前記スケールからの光を検出する光検出部と、を含む、請求項１から２１のいずれか一項に記載のエンコーダ装置。
【請求項２３】
前記移動部は回転軸を含み、
前記磁石は輪帯状であり、
前記感磁性部は、前記磁石の外側面の外側、又は内側面の内側に配置される請求項１から２２のいずれか一項に記載のエンコーダ装置。
【請求項２４】
前記位置検出部は、前記回転軸の１回転以内の角度位置情報を検出する角度検出部と、
前記位置情報として前記回転軸の多回転情報を検出する多回転情報検出部と、を備える請求項１から２３のいずれか一項に記載のエンコーダ装置。
【請求項２５】
請求項１から２４のいずれか一項に記載のエンコーダ装置と、
前記移動部に動力を供給する動力供給部と、
を備える駆動装置。
【請求項２６】
移動物体と、
前記移動物体を移動させる請求項２５に記載の駆動装置と、を備えるステージ装置。
【請求項２７】
請求項２５に記載の駆動装置と、
前記駆動装置によって相対移動するアームと、を備えるロボット装置。
【発明の詳細な説明】
【技術分野】
【０００１】
本発明は、エンコーダ装置、駆動装置、ステージ装置、及びロボット装置に関する。
【背景技術】
【０００２】
被検物の回転角又は回転速度等の位置情報を検出するエンコーダ装置は、ロボット装置などの各種装置に搭載されている。従来のエンコーダ装置として、ウィーガントワイヤのような磁性線材を使用して、回転する磁石の磁界の変化を電気信号に変換し、その電気信号を用いて回転速度を求める装置が知られている(例えば、特許文献１参照)。【０００３】
上述のような磁性線材を使用したエンコーダ装置は、磁石の不要な磁界に起因するノイズを少なくして安定した電気信号を発生させて、検出結果の信頼性の向上を図ることが望まれる。
【先行技術文献】
【特許文献】
【０００４】
【特許文献１】特開平８−１３６５５８号公報
【発明の概要】
【０００５】
第１の態様によれば、移動部の位置情報を検出する位置検出部と、その移動部の移動方向に沿って複数の極性を持つ磁石と、その磁石との相対的な移動に伴う磁界の変化によって磁気特性が変化する感磁性部を有し、その感磁性部の磁気特性に基づいて電気信号を発生する電気信号発生部とを備え、その感磁性部が、その移動方向に直交する方向におけるその磁石の側面と間隔を置き、かつその磁石の少なくとも一部の磁力線の接線方向にその感磁性部の長さ方向が直交するように配置される、エンコーダ装置が提供される。
【０００６】
第２の態様によれば、第１の態様のエンコーダ装置と、その移動部に動力を供給する動力供給部と、を備える駆動装置が提供される。
第３の態様によれば、移動物体と、その移動物体を移動させる第２の態様の駆動装置と、を備えるステージ装置が提供される。
第４の態様によれば、第２の態様の駆動装置と、その駆動装置によって相対移動するアームと、を備えるロボット装置が提供される。
【図面の簡単な説明】
【０００７】
【図１】第１の実施形態に係るエンコーダ装置を示す図である。
【図２】（Ａ）は図１中の磁石、電気信号発生ユニット、及び磁気センサを示す斜視図、（Ｂ）は図２（Ａ）の磁石等を示す平面図、（Ｃ）は図２（Ａ）の磁気センサを示す回路図である。
【図３】（Ａ）は図２（Ａ）の磁石及び電気信号発生ユニットを示す平面図、（Ｂ）及び（Ｃ）はそれぞれ図３（Ａ）の断面図、（Ｄ）は変形例を示す平面図、（Ｅ）は図３（Ｄ）の側面図である。
【図４】図１のエンコーダ装置の電力供給系及び多回転情報検出部の構成を示す図である。
【図５】図１のエンコーダ装置の順回転時の動作を示す図である。
【図６】（Ａ）は第２の実施形態に係る磁石及び電気信号発生ユニットを示す平面図、（Ｂ）は図６（Ａ）の側面図、（Ｃ）は図６（Ａ）の磁石の一部を示す拡大図、（Ｄ）は変形例を示す平面図、（Ｅ）は図６（Ｄ）の側面図である。
【図７】（Ａ）は第３の実施形態に係る磁石及び電気信号発生ユニットを示す平面図、（Ｂ）は図７（Ａ）の断面図、（Ｃ）は変形例を示す平面図である。
【図８】（Ａ）は第４の実施形態に係る磁石及び電気信号発生ユニットを示す平面図、（Ｂ）及び（Ｃ）はそれぞれ図８（Ａ）の断面図、（Ｄ）は変形例を示す平面図、（Ｅ）は図８（Ｄ）の側面図である。
【図９】（Ａ）は第５の実施形態に係る磁石、電気信号発生ユニット、及び磁気センサを示す平面図、（Ｂ）は図９（Ａ）の断面図である。
【図１０】（Ａ）は第６の実施形態に係る電気信号発生ユニット、磁気センサ、及び光学センサを示す平面図、（Ｂ）は図１０（Ａ）の断面図である。
【図１１】駆動装置の一例を示す図である。
【図１２】ステージ装置の一例を示す図である。
【図１３】ロボット装置の一例を示す図である。
【発明を実施するための形態】
【０００８】
［第１の実施形態］
第１の実施形態につき図１から図５を参照して説明する。図１は、本実施形態に係るエンコーダ装置ＥＣを示す。図１において、エンコーダ装置ＥＣは、モータＭ（動力供給部）の回転軸ＳＦ（移動部）の回転位置情報を検出する。回転軸ＳＦは、例えばモータＭのシャフト（回転子）であるが、モータＭのシャフトに変速機などの動力伝達部を介して接続されるとともに負荷に接続される作用軸（出力軸）であってもよい。エンコーダ装置ＥＣが検出した回転位置情報は、モータ制御部ＭＣに供給される。モータ制御部ＭＣは、エンコーダ装置ＥＣから供給された回転位置情報を使って、モータＭの回転（例、回転位置、回転速度など）を制御する。モータ制御部ＭＣは、回転軸ＳＦの回転を制御する。
【０００９】
エンコーダ装置ＥＣは、位置検出系（位置検出ユニット）１及び電力供給系（電力供給ユニット）２を備える。位置検出系１は、回転軸ＳＦの回転位置情報を検出する。エンコーダ装置ＥＣは、いわゆる多回転アブソリュートエンコーダであり、回転軸ＳＦの回転の数を示す多回転情報、及び１回転未満の角度位置（回転角）を示す角度位置情報を含む回転位置情報を検出する。エンコーダ装置ＥＣは、回転軸ＳＦの多回転情報を検出する多回転情報検出部３、及び回転軸ＳＦの角度位置を検出する角度検出部４を備える。
【００１０】
位置検出系１の少なくとも一部（例えば角度検出部４）は、例えば、エンコーダ装置ＥＣが搭載される装置（例えば駆動装置、ステージ装置、ロボット装置）の電源（例、主電源）が投入されている状態（例、通常状態）で、この装置から電力の供給を受けて動作する。また、位置検出系１の少なくとも一部（例えば多回転情報検出部３）は、例えば、エンコーダ装置ＥＣが搭載される装置の電源（例、主電源）が投入されていない状態（例、非常時状態、バックアップ状態）で、電力供給系２から電力の供給を受けて動作する。例えば、エンコーダ装置ＥＣが搭載される装置からの電力の供給が断たれた状態において電力供給系２は、位置検出系１の少なくとも一部（例えば多回転情報検出部３）に対して断続的（間欠的）に電力を供給し、位置検出系１は、電力供給系２から電力が供給された際に回転軸ＳＦの回転位置情報の少なくとも一部（例えば多回転情報）を検出する。
【００１１】
多回転情報検出部３は、例えば、磁気によって多回転情報を検出する。多回転情報検出部３は、例えば、磁石１１、磁気検出部１２、検出部１３、及び記憶部１４を備える。磁石１１は、回転軸ＳＦに固定された円板１５に設けられる。円板１５は回転軸ＳＦとともに回転するため、磁石１１は回転軸ＳＦと連動して回転する。磁石１１は回転軸ＳＦの外側に固定され、磁石１１及び磁気検出部１２は、回転軸ＳＦの回転によって互いの相対位置が変化する。磁石１１が形成する磁気検出部１２上の磁界の強さ及び向きは、回転軸ＳＦの回転によって変化する。磁気検出部１２は、磁石１１が形成する磁界を検出し、検出部１３は、磁石が形成する磁界を磁気検出部１２が検出した結果に基づいて、回転軸ＳＦの位置情報を検出する。記憶部１４は、検出部１３が検出した位置情報を記憶する。
【００１２】
角度検出部４は、光学式または磁気式のエンコーダであり、スケールの一回転内の位置情報（角度位置情報）を検出する。例えば光学式エンコーダであるとき、例えばスケールのパターンニング情報を受光素子で読み取ることにより、回転軸ＳＦの１回転以内の角度位置を検出する。スケールのパターンニング情報とは、例えばスケール上の明暗のスリットである。角度検出部４は、多回転情報検出部３の検出対象と同じ回転軸ＳＦの角度位置情報を検出する。角度検出部４は、発光素子２１、スケールＳ、受光センサ２２、及び検出部２３を備える。
【００１３】
スケールＳは、回転軸ＳＦに固定された円板５に設けられている。スケールＳは、インクリメンタルスケール及びアブソリュートスケールを含む。スケールＳは、円板１５に設けられてもよいし、円板１５と一体化された部材であってもよい。例えば、スケールＳは、円板１５において磁石１１と反対側の面に設けられていてもよい。スケールＳは、磁石１１の内側と外側の少なくとも一方に設けられていてもよい。
【００１４】
発光素子２１（照射部、発光部）は、スケールＳに光を照射する。受光センサ２２（光検出部）は、発光素子２１から照射されスケールＳを経由した光を検出する。図１において、角度検出部４は透過型であり、受光センサ２２は、スケールＳを透過した光を検出する。なお、角度検出部４は反射型であってもよい。そして、受光センサ２２は、検出結果を示す信号を検出部２３へ供給する。検出部２３は、受光センサ２２の検出結果を使って、回転軸ＳＦの角度位置を検出する。例えば、検出部２３は、アブソリュートスケールからの光を検出した結果を使って第１分解能の角度位置を検出する。また、検出部２３は、インクリメンタルスケールからの光を検出した結果を使って、第１分解能の角度位置に内挿演算を行うことにより、第１分解能よりも高い第２分解能の角度位置を検出する。
【００１５】
本実施形態において、エンコーダ装置ＥＣは、信号処理部２５を備える。信号処理部２５は、位置検出系１による検出結果を演算して処理する。信号処理部２５は、合成部２６及び外部通信部２７を備える。合成部２６は、検出部２３が検出した第２分解能の角度位置情報を取得する。また、合成部２６は、多回転情報検出部３の記憶部１４から回転軸ＳＦの多回転情報を取得する。合成部２６は、検出部２３からの角度位置情報、及び多回転情報検出部３からの多回転情報を合成し、回転位置情報を算出する。例えば、検出部２３の検出結果がθ（ｒａｄ）であり、多回転情報検出部３の検出結果がｎ回転である場合に、合成部２６は、回転位置情報として（２π×ｎ＋θ）（ｒａｄ）を算出する。回転位置情報は、多回転情報と、１回転未満の角度位置情報とを組にした情報でもよい。
【００１６】
合成部２６は、回転位置情報を外部通信部２７に供給する。外部通信部２７は、有線または無線によって、モータ制御部ＭＣの通信部ＭＣＣと通信可能に接続されている。外部通信部２７は、デジタル形式の回転位置情報を、モータ制御部ＭＣの通信部ＭＣＣに供給する。モータ制御部ＭＣは、角度検出部４の外部通信部２７からの回転位置情報を適宜復号する。モータ制御部ＭＣは、回転位置情報を使ってモータＭへ供給される電力（駆動電力）を制御することにより、モータＭの回転を制御する。
【００１７】
電力供給系２は、第１及び第２の電気信号発生ユニット３１Ａ，３１Ｂ、バッテリー（電池）３２、及び切替部３３を備える。電気信号発生ユニット３１Ａ，３１Ｂは、それぞれ回転軸ＳＦの回転によって電気信号を発生する。この電気信号は、例えば、電力（電流、電圧）が時間変化する波形を含む。電気信号発生ユニット３１Ａ，３１Ｂは、それぞれ例えば、回転軸ＳＦの回転に基づいて変化する磁界によって、電気信号として電力を発生する。例えば、電気信号発生ユニット３１Ａ，３１Ｂは、多回転情報検出部３が回転軸ＳＦの多回転位置の検出に用いる磁石１１が形成する磁界の変化によって、電力を発生する。電気信号発生ユニット３１Ａ，３１Ｂは、それぞれ回転軸ＳＦの回転によって、磁石１１との相対的な角度位置が変化するように配置される。電気信号発生ユニット３１Ａ，３１Ｂは、例えば、電気信号発生ユニット３１Ａ，３１Ｂと磁石１１との相対位置がそれぞれ所定の位置になった際に、パルス状の電気信号を発生する。
【００１８】
バッテリー３２は、電気信号発生ユニット３１Ａ，３１Ｂで発生する電気信号に基づいて、位置検出系１で消費される電力の少なくとも一部を供給する。バッテリー３２は、例えばボタン型電池、乾電池などの一次電池３６及び充電可能な二次電池３７（図４参照）を含む。バッテリー３２の二次電池は、例えば電気信号発生ユニット３１Ａ，３１Ｂで発生する電気信号（例えば電流）によって充電可能である。バッテリー３２は、保持部３５に保持される。保持部３５は、例えば、位置検出系１の少なくとも一部が設けられる回路基板などである。保持部３５は、例えば、検出部１３、切替部３３、及び記憶部１４を保持する。保持部３５には、例えば、バッテリー３２を収容可能な複数の電池ケース、及びバッテリー３２と接続される電極、配線などが設けられる。
【００１９】
切替部３３は、電気信号発生ユニット３１Ａ，３１Ｂで発生する電気信号に基づいて、バッテリー３２から位置検出系１への電力の供給の有無を切り替える。例えば、切替部３３は、電気信号発生ユニット３１Ａ，３１Ｂで発生する電気信号のレベルが閾値以上になることでバッテリー３２から位置検出系１への電力の供給を開始させる。例えば、切替部３３は、電気信号発生ユニット３１Ａ，３１Ｂで闇値以上の電力が発生することでバッテリー３２から位置検出系１への電力の供給を開始させる。また、切替部３３は、電気信号発生ユニット３１Ａ，３１Ｂで発生する電気信号のレベルが閾値未満になることでバッテリー３２から位置検出系１への電力の供給を停止させる。例えば、切替部３３は、電気信号発生ユニット３１Ａ，３１Ｂで発生する電力が閾値未満になることでバッテリー３２から位置検出系１への電力の供給を停止させる。例えば、電気信号発生ユニット３１Ａ，３１Ｂにパルス状の電気信号が発生する場合、切替部３３は、この電気信号のレベル（電力）がローレベルからハイレベルに立ち上がった際に、バッテリー３２から位置検出系１への電力の供給を開始させ、この電気信号のレベル（電力）がローレベルヘ変化してから所定の時間経過後に、バッテリー３２から位置検出系１への電力の供給を停止させる。また、エンコーダ装置ＥＣは、電気信号発生ユニット３１Ａ，３１Ｂで発生した電気信号（パルス信号）を、バッテリー３２から位置検出系１への電力の供給におけるスイッチング信号（トリガー信号）として用いる構成である。
【００２０】
図２（Ａ）は、図１中の磁石１１、電気信号発生ユニット３１Ａ，３１Ｂ、及び磁気検出部１２である２つの磁気センサ５１，５２を示す斜視図、図２（Ｂ）は図２（Ａ）の磁石１１等を回転軸ＳＦに平行な方向から見た平面図、図２（Ｃ）は磁気センサ５１の回路図である。なお、図２（Ａ）等において、図１の回転軸ＳＦを直線で表している。
図２（Ａ）、（Ｂ）において、磁石１１は、回転によって、回転軸ＳＦの中心を通る直線（対称軸）に平行な方向である軸方向（又はアキシャル方向ともいう。）における磁界の向き及び強さが変化するように構成されている。磁石１１は、例えば回転軸ＳＦと同軸の円環状の部材である。一例として、磁石１１は、回転軸ＳＦを囲むように順に配置されたそれぞれ開き角が９０°の扇型のＮ極１６Ａ、Ｓ極１６Ｂ、Ｎ極１６Ｃ、及びＳ極１６Ｄよりなる第１の円環状磁石と、Ｎ極１６Ａ〜Ｓ極１６Ｄと同じ形状でＮ極１６Ａ〜Ｓ極１６Ｄの一面にそれぞれ貼り合わせて配置されたＳ極１７Ａ、Ｎ極１７Ｂ、Ｓ極１７Ｃ、及びＮ極１７Ｄよりなる第２の円環状磁石とから構成されている。磁石１１は、回転軸ＳＦの回りの円周方向（又は周方向、回転方向ともいう。）に沿って４対の極性を持つように着磁されて磁力が発生する永久磁石である。磁石１１の主たる面である表面（図１のモータＭと反対側の面）及び裏面（モータＭと同じ側の面）は、それぞれ、回転軸ＳＦとほぼ垂直である。言い替えると、磁石１１において、表面側のＮ極１６Ａ〜Ｓ極１６Ｄと、裏面側のＳ極１７Ａ〜Ｎ極１７Ｄとは角度（例、互いのＮ極とＳ極との位置）が９０°（位相で１８０°）ずれており、Ｎ極１６Ａ〜Ｓ極１６ＤのＮ極とＳ極との境界と、Ｓ極１７Ａ〜Ｎ極１７ＤのＳ極とＮ極との境界とは、周方向の位置（角度位置）がほぼ一致している。なお、上記の第１の円環状磁石と第２の円環状磁石とは、移動方向（例、周方向、回転方向）又は軸方向に連続して一体化され複数の極性を有する１つの磁石であり、それら磁石の内側に空間を有する中空状の磁石であってもよい。
【００２１】
ここでは説明の便宜上、回転軸ＳＦの先端側（図１のモータＭと反対側）から見た場合の、反時計回りの回転を順回転、時計回りの回転を逆回転という。また、順回転の角度を正の値で表し、逆回転の角度を負の値で表す。なお、回転軸ＳＦの後端側（図１のモータＭ側）から見た場合の、反時計回りの回転を順回転、時計回りの回転を逆回転と定義してもよい。
【００２２】
ここで、磁石１１に固定した座標系において、周方向におけるＳ極１６ＤとＮ極１６Ａとの境界の角度位置を位置１１ａで表し、位置１１ａから順次９０°回転した角度位置（Ｎ極とＳ極との境界）をそれぞれ位置１１ｂ，１１ｃ，１１ｄで表す。
位置１１ａから反時計回りに９０°の第１区間において、磁石１１の表面側にＮ極が配置され、磁石１１の裏面側にＳ極が配置されている。この第１区間において、磁石１１の磁界の軸方向の向きは、概ね磁石１１の表面側から裏面側へ向かう軸方向ＡＤ１（図３（Ｃ）参照）に平行である。第１区間において、磁界の強さは、位置１１ａと位置１１ｂとの中間において最大となり、位置１１ａ，１１ｂの近傍で最小となる。
【００２３】
位置１１ｂから反時計回りに９０°の第２区間（磁石１１の表面側にＳ極が、磁石１１の裏面側にＮ極が配置されている区間）において、磁石１１の磁界の軸方向の向きは、概ね磁石１１の裏面側から表面側へ向かう向き（例、軸方向ＡＤ１（図３（Ｃ）の向きに対して逆向き）である。第２区間において、磁界の強さは、位置１１ｂと位置１１ｃとの中間において最大となり、位置１１ｂ，１１ｃの近傍で最小となる。同様に、位置１１ｃから反時計回りに９０°の第３区間、及び位置１１ｄから反時計回りに９０°の第４区間において、磁石１１の磁界の軸方向の向きは、それぞれ概ね磁石１１の表面側から裏面側へ向かう向き、及び裏面側から表面側へ向かう向きである。
【００２４】
このように、磁石１１が形成する磁界の軸方向の向きは、位置１１ａ〜１１ｄにおいて順次反転する。磁石１１は、磁石１１の外部に固定された座標系に対し、磁石１１の回転に伴って軸方向の磁界の向きが反転する交流磁界を形成する。電気信号発生ユニット３１Ａ，３１Ｂは、磁石１１の主たる面の法線方向と交差する方向における磁石１１の外側面に配置されている。
本実施形態において、電気信号発生ユニット３１Ａ，３１Ｂは、それぞれ、回転軸ＳＦに直交する磁石１１の径方向（例、ラジアル方向）又は該径方向に平行な方向に離れて、磁石１１と非接触に設けられている。第１の電気信号発生ユニット３１Ａは、第１感磁性部４１Ａ、第１発電部４２Ａ、第１組の第１磁性体４５Ａ、及び第１組の第２磁性体４６Ａを備える。なお、第１磁性体４５Ａ及び第２磁性体４６Ａのうちの一方は省略可能である。第１感磁性部４１Ａ、第１発電部４２Ａ、第１磁性体４５Ａ、及び第２磁性体４６Ａは、磁石１１の外部に固定されており、磁石１１の回転に伴って磁石１１上の各位置との相対位置が変化する。例えば、図２（Ｂ）では、第１電気信号発生ユニット３１Ａから反時計回りに４５°の位置に、磁石１１の位置１１ｂが配置されており、この状態から磁石１１が順方向（反時計回り）に１回転すると、電気信号発生ユニット３１Ａの近傍を位置１１ａ，１１ｄ，１１ｃ，１１ｂがこの順に通過する。
【００２５】
第１感磁性部４１Ａは、ウィーガントワイヤなどの感磁性ワイヤである。第１感磁性部４１Ａには、磁石１１の回転に伴う磁界の変化によって大バルクハウゼンジャンプ（ウィーガント効果）が生じる。第１感磁性部４１Ａは、射影像が長方形で円柱状の部材であり、その軸方向が磁石１１の周方向に設定されている。以下では、第１感磁性部４１Ａの軸方向、すなわち第１感磁性部４１Ａの円形（又は多角形状等でもよい）の断面に垂直な方向を第１感磁性部４１Ａの長さ方向ともいう。また、例えば、感磁性部（例、第１感磁性部４１Ａ）の断面に垂直な方向（軸方向、長さ方向、長手方向）における感磁性部の長さは感磁性部の断面に平行な方向（短手方向）における感磁性部の長さより長く構成されている。第１感磁性部４１Ａは、その軸方向（長さ方向）に交流磁界が印加され、その交流磁界が反転する際に、軸方向の一端から他端に向かう磁壁が発生する。このように、本実施形態における感磁性部（例、第１感磁性部４１Ａなど）の長さ方向（軸方向）は、磁化が向き易い方向である磁化容易方向ともいう。
【００２６】
第１、第２磁性体４５Ａ，４６Ａは例えば鉄、コバルト、ニッケル等の強磁性材料から形成されている。第１、第２磁性体４５Ａ，４６Ａはヨークともいうことができる。第１磁性体４５Ａは、磁石１１の表面と第１感磁性部４１Ａの一端との間に設けられ、第２磁性体４６Ａは、磁石１１の裏面と第１感磁性部４１Ａの他端との間に設けられている。第１、第２磁性体４５Ａ，４６Ａの先端部は、磁石１１の表面及び裏面において、周方向の同じ角度位置に配置されている。第１、第２磁性体４５Ａ，４６Ａの先端部における磁石１１の極性は互いに常に逆であり、第１磁性体４５Ａの先端部がＮ極１６Ａ（又はＳ極１６Ｂ）の近傍にあるときは、第２磁性体４６Ａの先端部はＳ極１７Ａ（又はＮ極１７Ｂ）の近傍にある。このため、第１、第２磁性体４５Ａ，４６Ａは、磁石１１の周方向において同じ位置にある磁石１１の互いに異なる極性の２つの部分（例えばＮ極１６Ａ及びＳ極１７Ａ）からの磁力線を第１感磁性部４１Ａの長さ方向に導いている。そして、磁石１１、第１磁性体４５Ａ、第１感磁性部４１Ａ、及び第２磁性体４６Ａによって、第１感磁性部４１Ａの長さ方向に向かう磁力線を含む磁気回路ＭＣ１（図３（Ａ）参照）が形成される。なお、図１の円板１５の周縁部には段差（不図示）が設けられ、円板１５の周縁部と磁石１１の裏面との間には、第２磁性体４６Ａを差し込むことができるスペースが確保されている。
【００２７】
第１発電部４２Ａは、第１感磁性部４１Ａに巻き付けられて配置される高密度コイルなどである。第１発電部４２Ａには、第１感磁性部４１Ａにおける磁壁の発生に伴って電磁誘導が生じ、誘導電流が流れる。図２（Ｂ）に示した磁石１１の位置１１ａ〜１１ｄが電気信号発生ユニット３１Ａ（磁性体４５Ａ，４６Ａの先端部）の近傍を通過する際に、第１発電部４２Ａにパルス状の電流（電気信号、電力）が発生する。
【００２８】
第１発電部４２Ａに発生する電流の向きは、磁界の反転前後の向きに応じて変化する。例えば、磁石１１の表面側を向く磁界から裏面側を向く磁界への反転時に発生する電流の向きは、磁石１１の裏面側を向く磁界から表面側を向く磁界への反転時に発生する電流の向きの反対になる。第１発電部４２Ａに発生する電力（誘導電流）は、例えば高密度コイルの巻き数により設定できる。
【００２９】
図２（Ａ）に示すように、第１感磁性部４１Ａ、第１発電部４２Ａ、及び第１、第２磁性体４５Ａ，４６Ａの第１感磁性部４１Ａ側の部分は、ケース４３Ａに収納されている。ケース４３Ａには端子４２Ａａ，４２Ａｂが設けられている。第１発電部４２Ａの高密度コイルは、その一端及び他端がそれぞれ端子４２Ａａ，４２Ａｂと電気的に接続されている。第１発電部４２Ａで発生した電力は、端子４２Ａａ，４２Ａｂを介して、第１電気信号発生ユニット３１Ａの外部へ取り出し可能である。
【００３０】
第２電気信号発生ユニット３１Ｂは、第１電気信号発生ユニット３１Ａが配置される角度位置から０゜より大きく１８０°よりも小さい角度をなす角度位置に配置される。電気信号発生ユニット３１Ａ，３１Ｂの間の角度は、例えば２２．５°以上６７．５°以下の範囲から選択され、図２（Ｂ）では約４５°である。第２電気信号発生ユニット３１Ｂは、第１電気信号発生ユニット３１Ａと同様の構成である。第２電気信号発生ユニット３１Ｂは、第２感磁性部４１Ｂ、第２発電部４２Ｂ、第２組の第１磁性体４５Ｂ、及び第２組の第２磁性体４６Ｂを備える。第２感磁性部４１Ｂ、第２発電部４２Ｂ、及び第２組の第１、第２磁性体４５Ｂ，４６Ｂは、それぞれ第１感磁性部４１Ａ、第１発電部４２Ａ、及び第１組の第１、第２磁性体４５Ａ，４６Ａと同様であり、その説明を省略する。第２感磁性部４１Ｂ、第２発電部４２Ｂ、及び第１、第２磁性体４５Ｂ，４６Ｂの第２感磁性部４１Ｂ側の部分は、ケース４３Ｂに収納されている。ケース４３Ｂには端子４２Ｂａ，４２Ｂｂが設けられている。第２発電部４２Ｂで発生した電力は、端子４２Ｂａ，４２Ｂｂを介して、第２電気信号発生ユニット３１Ｂの外部へ取り出し可能である。なお、感磁性部（例、第１感磁性部４１Ａ、第２感磁性部４１Ｂ）の少なくとも一部は、磁石１１の径方向又はその平行方向における磁石１１の外側に離間して配置される。例えば、該感磁性部は、回転軸ＳＦに直交する磁石１１の面（すなわち、磁石の複数の極性が配列された面）をそれぞれ一面、他面とした場合、磁石１１の一面又は他面に直交し、磁石の移動方向に沿った磁石１１の側面（又は回転軸ＳＦの軸方向に平行な側面）に対して外側に離間して配置されている。
【００３１】
磁気検出部１２は、磁気センサ５１，５２を含む。磁気センサ５１は、回転軸ＳＦの回転方向において、第２感磁性部４１Ｂ（第２電気信号発生ユニット３１Ｂ）に対して０°より大きく１８０°未満の角度位置で配置される。磁気センサ５２は、回転軸ＳＦの回転方向において、磁気センサ５１に対して２２．５°より大きく６７．５°未満の角度位置（図２（Ｂ）では約４５°）で配置される。
【００３２】
図２（Ｃ）に示すように、磁気センサ５１は、磁気抵抗素子５６と、磁気抵抗素子５６に一定の強さの磁界を与えるバイアス磁石（図示せず）と、磁気抵抗素子５６からの波形を整形する波形整形回路（図示せず）とを備える。磁気抵抗素子５６は、エレメント５６ａ，５６ｂ，５６ｃ、及び５６ｄを直列に結線したフルブリッジ形状である。エレメント５６ａ，５６ｃの間の信号線は、電源端子５１ｐに接続され、エレメント５６ｂ，５６ｄの間の信号線は、接地端子５１ｇに接続されている。エレメント５６ａ，５６ｂの間の信号線は、第１出力端子５１ａに接続され、エレメント５６ｃ，５６ｄの間の信号線は、第２出力端子５１ｂに接続されている。磁気センサ５２は、磁気センサ５１と同様の構成であり、その説明を省略する。
【００３３】
次に、本実施形態の第１電気信号発生ユニット３１Ａの動作につき説明する。以下では、図２（Ｂ）の第１電気信号発生ユニット３１Ａの第１感磁性部４１Ａ及び第１発電部４２Ａを一体的に感磁性部材４７として説明する。感磁性部材４７の長さ方向は第１感磁性部４１Ａの長さ方向と同じであり、感磁性部材４７の長さ方向の中心は第１感磁性部４１Ａの長さ方向の中心と同じである。なお、第２電気信号発生ユニット３１Ｂの動作は第１電気信号発生ユニット３１Ａと同様であるため、その説明を省略する。
【００３４】
図３（Ａ）は図２（Ａ）の磁石１１及び電気信号発生ユニット３１Ａを示す平面図、図３（Ｂ）及び（Ｃ）は図３（Ａ）の磁石１１を断面で表した図である。図３（Ａ）、（Ｂ）において、磁石１１は回転軸ＳＦの回りの回転方向（以下、θ方向ともいう）に沿って平板状で、θ方向に互いに異なる複数の極性（Ｎ極１６Ａ〜Ｓ極１６Ｄ）を有し、θ方向に直交する厚さ方向（本実施形態では回転軸ＳＦの軸方向ＡＤ１（アキシャル方向）でもある）にも互いに異なる２つの極性（Ｎ極１６Ａ及びＳ極１７Ａ等）を有する。このため、軸方向ＡＤ１を磁石１１の互いに異なる極性の部分（Ｎ極１６Ａ及びＳ極１７Ａ等）の配向方向（着磁方向）ということもできる。磁石１１は、θ方向への回転によって、軸方向又は配向方向ＡＤ１における磁界の向き及び強さが変化する。
【００３５】
また、感磁性部材４７（又は感磁性部）は、その長さ方向が平板状の磁石１１の表面（一面、又は裏面）に平行になるように、磁石１１の外側面の近傍に配置されている。図３（Ａ）において、感磁性部材４７の長さ方向を方向ＬＤ１とすると、長さ方向ＬＤ１は磁石１１の表面に平行である。本実施形態では、感磁性部材４７の長さ方向ＬＤ１は、θ方向（周方向）に略平行であるとともに、磁石１１の着磁方向（例、磁極の向きが固定された特定の方向）である軸方向（アキシャル方向）ＡＤ１に略直交している。さらに、図３（Ｃ）に示すように、磁石１１の磁力線のうち、感磁性部材４７の長さ方向の略中心（例、感磁性部材４７又は感磁性部（４１Ａ、４１Ｂ）の長さ方向の長さの半分の位置）を通過する磁力線ＭＦ１の接線方向（ここでは軸方向ＡＤ１に平行な方向）に対して略直交するように、感磁性部材４７の長さ方向が配置されている。なお、感磁性部材４７の長さ方向ＬＤ１は、θ方向に直交する厚さ方向に略直交するように配置されている。また、第１、第２磁性体４５Ａ及び４６Ａは、θ方向において同じ角度位置にある磁石１１の互いに異なる極性の２つの部分（例えばＮ極１６Ａ及びＳ極１７Ａ）からの磁力線を感磁性部材４７の一端４７ａ及び他端４７ｂを介して感磁性部材４７の長さ方向ＬＤ１に導いている。
【００３６】
磁石１１の側面に発生する磁力線を含む電気信号発生ユニット３１Ａにおけるパルス生成に不要な磁場成分は、感磁性部材４７の長さ方向に直交しており、その不要な磁場成分は、磁石１１の回転による交流磁界の反転によって生じる感磁性部材４７の長さ方向の大バルクハウゼンジャンプ（ウィーガント効果）による感磁性部材４７の一端から他端に向かう磁壁の発生には悪影響を与えない。このため、感磁性部材４７を磁石１１の近傍に配置して、電気信号発生ユニット３１Ａを小型化しても、その不要な磁場成分に影響されることなく、磁石１１の回転による軸方向の交流磁界の反転によって、電気信号発生ユニット３１Ａを用いて効率的に安定した高出力のパルスを発生することができる。
【００３７】
図４は、本実施形態に係る電力供給系２及び多回転情報検出部３の回路構成を示す。図４において、電力供給系２は、第１電気信号発生ユニット３１Ａ、整流スタック６１、第２電気信号発生ユニット３１Ｂ、整流スタック６２、及びバッテリー３２を備える。また、電力供給系２は、図１に示した切替部３３として、レギュレータ６３を備える。
整流スタック６１は、第１電気信号発生ユニット３１Ａから流れる電流を整流する整流器である。整流スタック６１の第１入力端子６１ａは、第１電気信号発生ユニット３１Ａの端子４２Ａａと接続されている。整流スタック６１の第２入力端子６１ｂは、第１電気信号発生ユニット３１Ａの端子４２Ａｂと接続されている。整流スタック６１の接地端子６１ｇは、シグナルグランドＳＧと同電位が供給される接地線ＧＬに接続されている。多回転情報検出部３の動作時に、接地線ＧＬの電位は、回路の基準電位になる。整流スタック６１の出力端子６１ｃは、レギュレータ６３の制御端子６３ａに接続されている。
【００３８】
整流スタック６２は、第２電気信号発生ユニット３１Ｂから流れる電流を整流する整流器である。整流スタック６２の第１入力端子６２ａは、第２電気信号発生ユニット３１Ｂの端子４２Ｂａと接続されている。整流スタック６２の第２入力端子６２ｂは、第２電気信号発生ユニット３１Ｂの端子４２Ｂｂと接続されている。整流スタック６２の接地端子６２ｇは、接地線ＧＬに接続されている。整流スタック６２の出力端子６２ｃは、レギュレータ６３の制御端子６３ａに接続されている。
【００３９】
レギュレータ６３は、バッテリー３２から位置検出系１へ供給される電力を調整する。レギュレータ６３は、バッテリー３２と位置検出系１との間の電力の供給経路に設けられるスイッチ６４を含んでもよい。レギュレータ６３は、電気信号発生ユニット３１Ａ，３１Ｂで発生する電気信号をもとにスイッチ６４の動作を制御する。
レギュレータ６３の入力端子６３ｂは、バッテリー３２に接続されている。レギュレータ６３の出力端子６３ｃは、電源線ＰＬに接続されている。レギュレータ６３の接地端子６３ｇは、接地線ＧＬに接続されている。レギュレータ６３の制御端子６３ａはイネーブル端子であり、レギュレータ６３は、制御端子６３ａに閾値以上の電圧が印加された状態で、出力端子６３ｃの電位を所定電圧に維持する。レギュレータ６３の出力電圧（上記の所定電圧）は、計数器６７がＣＭＯＳなどで構成される場合に例えば３Ｖである。記憶部１４の不揮発性メモリ６８の動作電圧は、例えば、所定電圧と同じ電圧に設定される。なお、所定電圧は、電力供給に必要な電圧であり、一定の電圧値のことだけでなく、段階的に変化する電圧であってもよい。
【００４０】
スイッチ６４は、第１端子６４ａが入力端子６３ｂと接続され、第２端子６４ｂが出力端子６３ｃと接続される。レギュレータ６３は、電気信号発生ユニット３１Ａ，３１Ｂから制御端子６３ａに供給される電気信号を制御信号（イネーブル信号）に用いて、スイッチ６４の第１端子６４ａと第２端子６４ｂとの間の導通状態と絶縁状態とを切り替える。例えば、スイッチ６４は、ＭＯＳ、ＴＦＴなどのスイッチング素子を含み、第１端子６４ａと第２端子６４ｂとはソース電極とドレイン電極であり、ゲート電極が制御端子６３ａと接続される。スイッチ６４は、電気信号発生ユニット３１Ａ，３１Ｂで発生する電気信号（電力）によってゲート電極が充電され、ゲート電極の電位が閾値以上になると、ソース電極とドレイン電極との間が導通可能な状態（オン状態）になる。なお、スイッチ６４はレギュレータ６３の外部に設けられてもよく、例えばリレー等の外付けであってもよい。
【００４１】
多回転情報検出部３は、磁気検出部１２として、磁気センサ５１，５２、及びアナログコンパレータ６５，６６を含む。磁気検出部１２は、磁石１１が形成する磁界を、バッテリー３２から供給される電力を用いて検出する。また、多回転情報検出部３は、図１に示した検出部１３として計数器６７を含み、記憶部１４として不揮発性メモリ６８を含む。
磁気センサ５１の電源端子５１ｐは、電源線ＰＬに接続されている。磁気センサ５１の接地端子５１ｇは、接地線ＧＬに接続されている。磁気センサ５１の出力端子５１ｃは、アナログコンパレータ６５の入力端子６５ａに接続されている。本実施形態において、磁気センサ５１の出力端子５１ｃは、図２（Ｃ）に示した第２出力端子５１ｂの電位と基準電位との差に相当する電圧を出力する。アナログコンパレータ６５は、磁気センサ５１から出力される電圧を所定電圧と比較する比較器である。アナログコンパレータ６５の電源端子６５ｐは、電源線ＰＬに接続されている。アナログコンパレータ６５の接地端子６５ｇは、接地線ＧＬに接続されている。アナログコンパレータ６５の出力端子６５ｂは、計数器６７の第１入力端子６７ａに接続されている。アナログコンパレータ６５は、磁気センサ５１の出力電圧が閾値以上である場合に出力端子からＨレベルの信号を出力し、閾値未満である場合に出力端子からＬレベルの信号を出力する。
【００４２】
磁気センサ５２及びアナログコンパレータ６６は、磁気センサ５１及びアナログコンパレータ６５と同様の構成である。磁気センサ５２の電源端子５２ｐは、電源線ＰＬに接続されている。磁気センサ５２の接地端子５２ｇは、接地線ＧＬに接続されている。磁気センサ５２の出力端子５２ｃは、アナログコンパレータ６６の入力端子６６ａに接続されている。アナログコンパレータ６６の電源端子６６ｐは、電源線ＰＬに接続されている。アナログコンパレータ６６の接地端子６６ｇは、接地線ＧＬに接続されている。アナログコンパレータ６６の出力端子５８ｂは、計数器６７の第２入力端子６７ｂに接続されている。アナログコンパレータ６６は、磁気センサ５２の出力電圧が閾値以上である場合に出力端子からＨレベルの信号を出力し、閾値未満である場合に出力端子６６ｂからＬレベルの信号を出力する。
【００４３】
計数器６７は、回転軸ＳＦの多回転情報を、バッテリー３２から供給される電力を用いて計数する。計数器６７は、例えばＣＭＯＳ論理回路などを含む。計数器６７は、電源端子６７ｐ及び接地端子６７ｇを介して供給される電力を用いて動作する。計数器６７の電源端子６７ｐは、電源線ＰＬに接続されている。計数器６７の接地端子６７ｇは、接地線ＧＬに接続されている。計数器６７は、第１入力端子６７ａを介して供給される電圧、及び第２入力端子６７ｂを介して供給される電圧を制御信号として、計数処理を行う。
【００４４】
不揮発性メモリ６８は、検出部１３が検出した回転位置情報の少なくとも一部（例えば多回転情報）を、バッテリー３２から供給される電力を用いて記憶する（書き込み動作を行う）。不揮発性メモリ６８は、検出部１３が検出した回転位置情報として、計数器６７による計数の結果（多回転情報）を記憶する。不揮発性メモリ６８の電源端子６８ｐは、電源線ＰＬに接続されている。記憶部１４の接地端子６８ｇは、接地線ＧＬに接続されている。図１の記憶部１４は、不揮発性メモリ６８を含み、電力が供給されている間に書き込まれた情報を、電力が供給されない状態においても保持可能である。
【００４５】
本実施形態において、整流スタック６１，６２とレギュレータ６３との間には、コンデンサ６９が設けられている。コンデンサ６９の第１電極６９ａは、整流スタック６１，６２とレギュレータ６３の制御端子６３ａとを接続する信号線に接続されている。コンデンサ６９の第２電極６９ｂは、接地線ＧＬに接続されている。コンデンサ６９は、いわゆる平滑コンデンサであり、脈動を低減してレギュレータの負荷を低減する。コンデンサ６９の定数は、例えば、検出部１３により回転位置情報を検出して記憶部１４に回転位置情報を書き込むまでの期間に、バッテリー３２から検出部１３及び記憶部１４への電力供給が維持されるように設定される。
【００４６】
また、バッテリー３２は例えばボタン型電池等の一次電池３６及び充電可能な二次電池３７を備える。二次電池３７は、モータ制御部ＭＣの電源部ＭＣＥと電気的に接続されている。モー夕制御部ＭＣの電源部ＭＣＥが電力を供給可能な期間（例えば主電源のオン状態）の少なくとも一部において、電源部ＭＣＥから二次電池３７へ電力が供給され、この電力によって二次電池３７が充電される。モータ制御部ＭＣの電源部ＭＣＥが電力を供給不能な期間（例えば主電源のオフ状態）において、電源部ＭＣＥから二次電池３７への電力の供給は絶たれる。
【００４７】
また、二次電池３７は、電気信号発生ユニット３１Ａ，３１Ｂからの電気信号の伝達経路にも電気的に接続されてもよい。この場合、二次電池３７は、電気信号発生ユニット３１Ａ，３１Ｂからの電気信号の電力により充電可能である。例えば、二次電池３７は、整流スタック６１とレギュレータ６３との間の回路と電気的に接続される。二次電池３７は、電源部ＭＣＥからの電力の供給が絶たれた状態において、回転軸ＳＦの回転により電気信号発生ユニット３１Ａ，３１Ｂで発生する電気信号の電力によって、充電することが可能となる。なお、二次電池３７は、モータＭに駆動されて回転軸ＳＦが回転することにより電気信号発生ユニット３１Ａ，３１Ｂで発生する電気信号の電力によって、充電されてもよい。
【００４８】
本実施形態に係るエンコーダ装置ＥＣは、外部からの電力の供給が絶たれた状態において、一次電池３６と二次電池３７とのいずれから位置検出系１へ電力を供給するかを選択する。電力供給系２は、電源切替器（電源選択部、選択部）３８を備え、電源切替器３８は、位置検出系１に対して一次電池３６と二次電池３７とのいずれから電力を供給するかを切り替える（選択する）。電源切替器３８の第１入力端子は、一次電池３６の正極と電気的に接続され、電源切替器３８の第２入力端子は、二次電池３７と電気的に接続される。電源切替器３８の出力端子は、レギュレータ６３の入力端子６３ｂと電気的に接続される。
【００４９】
電源切替器３８は、例えば、二次電池３７の残量に基づいて、位置検出系１に対して電力を供給する電池を、一次電池３６または二次電池３７に選択する。例えば、二次電池３７の残量が閾値以上である場合、電源切替器３８は、二次電池３７から電力を供給させ、一次電池３６から電力を供給させない。この閾値は、位置検出系１で消費される電力に基づいて設定され、例えば位置検出系１へ対して供給すべき電力以上に設定される。例えば、電源切替器３８は、位置検出系１で消費される電力を二次電池３７からの電力でまかなうことが可能な場合、二次電池３７から電力を供給させ、一次電池３６から電力を供給させない。また、二次電池３７の残量が閾値未満である場合、電源切替器３８は、二次電池３７から電力を供給させず、一次電池３６から電力を供給させる。電源切替器３８は、例えば、二次電池３７の充電を制御する充電器を兼ねていてもよく、充電の制御に使われる二次電池３７の残量の情報を用いて、二次電池３７の残量が閾値以上であるか否かを判定してもよい。
【００５０】
このように二次電池３７を併用することで、一次電池３６の消耗を遅らせることができる。したがって、エンコーダ装置ＥＣは、バッテリー３２のメンテナンス（例、交換）がない、あるいはメンテナンスの頻度が低い。
なお、バッテリー３２は、一次電池３６と二次電池３７の少なくとも一方を備えればよい。また、上述の実施形態においては、一次電池３６または二次電池３７から択一的に電力を供給するが、一次電池３６及び二次電池３７から並行して電力を供給してもよい。例えば、位置検出系１の各処理部（例えば磁気センサ５１、計数器６７、不揮発性メモリ６８）の消費電力に応じて、一次電池３６が電力を供給する処理部と、二次電池３７が電力を供給する処理部とが定められてもよい。なお、二次電池３７は、電源部ＥＣ２から供給される電力と、電気信号発生ユニット３１Ａ，３１Ｂで発生する電気信号の電力との少なくとも一方を用いて、充電されればよい。
【００５１】
次に、電力供給系２及び多回転情報検出部３の動作について説明する。図５は、回転軸ＳＦが反時計回りに回転（順回転）するときの多回転情報検出部３の動作を示すタイミングチャートである。回転軸ＳＦが反時計回りに回転（逆回転）するときの多回転情報検出部３の動作を示すタイミングチャートは、図４のチャートを時間に沿って反転したものとなるため、その説明を省略する。
【００５２】
図５の「磁界」において、実線は第１電気信号発生ユニット３１Ａの位置での磁界を示し、破線は第２電気信号発生ユニット３１Ｂの位置での磁界を示す。「第１電気信号発生ユニット」、「第２電気信号発生ユニット」は、それぞれ、第１電気信号発生ユニット３１Ａの出力、第２電気信号発生ユニット３１Ｂの出力を示し、一方向に流れる電流の出力を正（＋）とし、その逆方向に流れる電流の出力を負（−）とした。「イネーブル信号」は、電気信号発生ユニット３１Ａ，３１Ｂで発生する電気信号によりレギュレータ６３の制御端子６３ａに印加される電位を示し、ハイレベルを「Ｈ」で表し、ローレベルを「Ｌ」で表した。「レギュレータ」は、レギュレータ６３の出力を示し、ハイレベルを「Ｈ」で表し、ローレベルを「Ｌ」で表した。
【００５３】
図５の「第１磁気センサ上の磁界」、「第２磁気センサ上の磁界」は、磁気センサ５１及び５２上に形成される磁界である。磁石１１が形成する磁界を長破線で示し、バイアス磁石が形成する磁界を短破線で示し、これらの合成磁界を実線で示した。「第１磁気センサ」、「第２磁気センサ」は、それぞれ、磁気センサ５１及び５２を常時駆動したときの出力を示し、第１出力端子からの出力を破線で表し、第２出力端子からの出力を実線で表した。「第１アナログコンパレータ」、「第２アナログコンパレータ」は、それぞれ、アナログコンパレータ６５及び６６からの出力を示す。磁気センサ及びアナログコンパレータが常時駆動された場合の出力を「常時駆動」に示し、磁気センサ及びアナログコンパレータが間欠駆動された場合の出力を「間欠駆動」に示した。
【００５４】
回転軸ＳＦが反時計回りに回転する場合、第１電気信号発生ユニット３１Ａは、角度位置４５°及び２２５°において、順方向に流れる電流パルス（「第１電気信号発生ユニット」の＋）を出力する。また、第１電気信号発生ユニット３１Ａは、角度位置１３５°及び３１５°において、逆方向に流れる電流パルス（「第１電気信号発生ユニット」の−）を出力する。第２電気信号発生ユニット３１Ｂは、角度位置９０°及び２７０°において、逆方向に流れる電流パルス（「第２電気信号発生ユニット」の−）を出力する。また、第２電気信号発生ユニット３１Ｂは、角度位置１８０°及び０°（３６０°）において、順方向に流れる電流パルス（「第２電気信号発生ユニット」の−）を出力する。そのため、イネーブル信号は、角度位置４５°、９０°、１３５°、１８０°、２２５°、２７０°、３１５°、及び０°のそれぞれにおいて、ハイレベルに切り替わる。また、レギュレータ６３は、イネーブル信号がハイレベルに維持された状態に対応して、角度位置４５°、９０°、１３５°、１８０°、２２５°、２７０°、３１５°、及び０°のそれぞれにおいて、電源線ＰＬに所定電圧を供給する。
【００５５】
本実施形態において、磁気センサ５１の出力と磁気センサ５２の出力は、９０°の位相差を有しており、検出部１３は、この位相差を利用して回転位置情報を検出する。磁気センサ５１の出力は、角度位置２２．５°から角度位置１１２．５°の範囲において、正のサイン波状である。この角度範囲において、レギュレータ６３は角度位置４５°、９０°において電力を出力する。磁気センサ５１及びアナログコンパレータ６５は、角度位置４５°，９０°のそれぞれにおいて供給される電力により駆動される。アナログコンパレータ６５から出力される信号（以下、Ａ相信号という）は、電力供給を受けていない状態でＬレベルに維持されており、角度位置４５°，９０°のそれぞれにおいてＨレベルになる。
【００５６】
また、磁気センサ５２の出力は、角度位置１５７．５から２４７．５°の範囲において、正のサイン波状である。この角度範囲において、レギュレータ６３は、角度位置１８０°，２２５°において電力を出力する。磁気センサ５２及びアナログコンパレータ６６は、角度位置１８０°，２２５°のそれぞれにおいて供給される電力により駆動される。アナログコンパレータ６６から出力される信号（以下、Ｂ相信号という）は、電力供給を受けていない状態でＬレベルに維持されており、角度位置１８０°，２２５°のそれぞれにおいてＨレベルになる。
【００５７】
ここで、計数器６７に供給されるＡ相信号がＨレベル（Ｈ）であり、計数器６７に供給されるＢ相信号がＬレベルである場合に、これら信号レベルの組を（Ｈ、Ｌ）のように表す。図５では、角度位置１８０°において信号レベルの組が（Ｌ、Ｈ）であり、角度位置２２５°において信号レベルの組が（Ｈ、Ｈ）、角度位置２７０°において信号レベルの組が（Ｈ、Ｌ）である。
【００５８】
計数器６７は、検出したＡ相信号とＢ相信号の一方または双方がＨレベルである場合に、記憶部１４に信号レベルの組を記憶させる。計数器６７は、次に検出したＡ相信号とＢ相信号の一方または双方がＨレベルである場合に、前回のレベルの組を記憶部１４から読み出し、前回のレベルの組と今回のレベルの組と比較して回転軸ＳＦの回転方向を判定する。
例えば、前回の信号レベルの組が（Ｈ、Ｈ）であって、今回の信号レベルが（Ｈ、Ｌ）である場合には、前回の検出において角度位置２２５°であり、今回の検出において角度位置２７０°であるので、反時計回り（順回転）であることがわかる。計数器６７は、今回のレベルの組が（Ｈ、Ｌ）であって、かつ前回のレベルの組が（Ｈ、Ｈ）である場合、カウンタをアップすることを示すアップ信号を記憶部１４に供給する。記憶部１４は、計数器６７からのアップ信号を検出した場合に、記憶している多回転情報を１増加した値に更新する。このように、本実施形態に係る多回転情報検出部３は、回転軸ＳＦの回転方向を判定しながら、多回転情報を検出できる。
【００５９】
このように、本実施形態に係るエンコーダ装置ＥＣは、モータＭ（動力供給部）の回転軸ＳＦ（移動部）の回転位置情報を検出する位置検出系１（位置検出部）と、回転軸ＳＦと連動して回転するとともに、回転軸ＳＦの回転方向（移動方向又はθ方向）に沿って複数の極性を持つ磁石１１と、磁石１１との相対的な移動に伴う磁界の変化によって磁気特性が変化する感磁性部材４７（感磁性部４１Ａ）を有し、感磁性部材４７の磁気特性に基づいて電気信号を発生する電気信号発生ユニット３１Ａ（電気信号発生部）とを備え、感磁性部材４７がその回転方向に直交する方向における磁石１１の側面と間隔を置き、かつ磁石１１の少なくとも一部の磁力線ＭＦ２の接線方向に感磁性部材４７の長さ方向が直交するように配置されるものである。
【００６０】
本実施形態によれば、磁石１１の側面に発生する磁力線を含む電気信号発生ユニット３１Ａにおけるパルス生成に不要な磁場成分は、感磁性部材４７の長さ方向に直交しており、その不要な磁場成分は、磁石１１の回転による交流磁界の反転による感磁性部材４７の長さ方向の一端から他端に向かう磁壁の発生には悪影響を与えない。このため、感磁性部材４７を磁石１１の近傍に配置して、電気信号発生ユニット３１Ａを小型化しても、その不要な磁場成分に影響されることなく、磁石１１の回転による軸方向の交流磁界の反転によって、電気信号発生ユニット３１Ａを用いて効率的に高い信頼性（安定した出力）で高出力のパルス（電気信号）を発生することができる。また、エンコーダ装置ＥＣがバッテリー３２を備える場合に、電気信号発生ユニット３１Ａで効率的に発生される電気信号を用いることによって、バッテリー３２のメンテナンス（例えば交換）をなくすか、あるいはバッテリー３２のメンテナンスの頻度を低くできる。
【００６１】
なお、電気信号発生ユニット３１Ａにおけるパルス生成に不要な磁場成分の影響を抑制するためには、感磁性部材４７の周囲を磁性体で覆うことも考えられる。しかしながら、そのように感磁性部材４７の周囲を磁性体で覆うと、電気信号発生ユニットが大型化して、高コストになるとともに、駆動装置への組み込みが困難になる。さらに、電気信号発生ユニット３１Ａの共振点が下がり、振動衝撃に弱くなる恐れがある。
【００６２】
また、エンコーダ装置ＥＣは、電気信号発生ユニット３１Ａに電気信号が発生してから短時間のうちに、バッテリー３２から多回転情報検出部３に電力が供給され、多回転情報検出部３がダイナミック駆動（間欠駆動）する。多回転情報の検出及び書き込みの終了後は、多回転情報検出部３への電源供給は絶たれるが、計数値は、記憶部１４に格納されているので保持される。このようなシーケンスは、外部からの電力供給が絶たれた状態においても、磁石１１上の所定位置が電気信号発生ユニット３１Ａの近傍を通過するたびに繰り返される。また、記憶部１４に記憶されている多回転情報は、次にモータＭが起動される際にモータ制御部ＭＣなどに読み出され、回転軸ＳＦの初期位置などの算出に利用される。このようなエンコーダ装置ＥＣは、電気信号発生ユニット３１Ａで発生する電気信号に応じて、位置検出系１で消費される電力の少なくとも一部をバッテリー３２が供給するので、バッテリー３２を長寿命にすることができる。このため、バッテリー３２のメンテナンス（例えば交換）をなくしたり、メンテナンスの頻度を減らしたりすることができる。例えば、バッテリー３２の寿命がエンコーダ装置ＥＣの他の部分の寿命よりも長い場合、バッテリー３２の交換を不要にすることもできる。
【００６３】
ところで、ウィーガントワイヤ等の感磁性ワイヤを利用すると、磁石１１の回転が極めて低速であっても、電気信号発生ユニット３１Ａからパルス電流（電気信号）の出力が得られる。そのため、例えばモータＭへ電力供給がなされていない状態などにおいて、回転軸ＳＦ（磁石１１）の回転が極めて低速な場合にも、電気信号発生ユニット３１Ａの出力を電気信号として利用できる。なお、感磁性ワイヤ（第１感磁性部４１Ａ）としては、アモルファス磁歪線なども使用可能である。この場合、例えば、エンコーダ装置ＥＣは、上記した電気信号発生ユニット（例、３１Ａ、３１Ｂ）から発生した電気信号（電流）を上記した整流スタック（例、整流器）を用いて全波整流し、整流された電力を多回転情報検出部３などに供給するように構成してもよい。
【００６４】
また、本実施形態においては、図３（Ａ）に示すように、電気信号発生ユニット３１Ａの第１、第２磁性体４５Ａ，４６Ａの先端部が、磁石１１の表面（Ｎ極１６Ａ〜Ｓ極１６Ｄ）及び裏面（Ｓ極１７Ａ〜Ｎ極１７Ｄ）の同じ角度位置で互いに異なる極性の部分の近傍に配置されているため、電気信号発生ユニット３１Ａをさらに小型化できる。なお、図３（Ｄ）及び（Ｅ）に示す変形例の電気信号発生ユニット３１Ｃのように、感磁性部材４７の一端側の第１磁性体４５Ｃの先端部を磁石１１の表面のある極性の部分（例えばＮ極１６Ａ又はＳ極１６Ｂ等）の近傍に配置し、感磁性部材４７の他端側の第２磁性体４６Ｃの先端部を磁石１１の表面の異なる極性の部分（例えばＳ極１６Ｄ又はＮ極１６Ａ等）の近傍に配置してもよい。この場合、第１、第２磁性体４５Ｃ，４６Ｃは、回転方向において異なる位置にある磁石１１の互いに異なる極性の２つの部分（例えばＮ極１６Ａ及びＳ極１６Ｄ）からの磁力線を感磁性部材４７の長さ方向に導いている。電気信号発生ユニット３１Ｃにおいても、磁石１１から第１磁性体４５Ｃ、感磁性部材４７、及び第２磁性体４６Ｃを通るように磁気回路ＭＣ２が形成されるため、磁石１１の側面の不要な磁界に影響されることなく、磁石１１の回転による交流磁界の反転によって、感磁性部材４７が効率的に安定したパルスを出力できる。
【００６５】
また、上述の実施形態では２つの電気信号発生ユニット３１Ａ，３１Ｂが設けられているが、エンコーダ装置ＥＣは１つの電気信号発生ユニット３１Ａを備えるのみでもよい。さらに、エンコーダ装置ＥＣは、３つ以上の電気信号発生ユニットを備えてもよい。また、以下で説明する他の実施形態及びその変形例においては、１つの電気信号発生ユニットについて説明するが、複数の電気信号発生ユニットを備えていてもよい。
【００６６】
［第２の実施形態］
第２の実施形態につき図６（Ａ）から（Ｅ）を参照して説明する。なお、図６（Ａ）から（Ｄ）において図３（Ａ）から（Ｃ）に対応する部分には同一の符号を付してその詳細な説明を省略する。
図６（Ａ）は本実施形態に係るエンコーダ装置の磁石１１Ａ及び電気信号発生ユニット３１Ｄを示す平面図、図６（Ｂ）は図６（Ａ）の側面図、図６（Ｃ）は図６（Ａ）の一部の拡大図である。図６（Ａ）、（Ｂ）において、磁石１１Ａは、回転によって回転軸ＳＦに対する半径方向（又は径方向、ラジアル方向、若しくは放射方向）ＡＤ２における磁界の向きおよび強さが変化するように構成される。磁石１１Ａは、例えば回転軸ＳＦと同軸の円環状の部材である。磁石１１Ａの主面（表面及び裏面）は、それぞれ、回転軸ＳＦとほぼ垂直である。
【００６７】
磁石１１Ａは、Ｎ極１６Ｅ及びＳ極１６Ｆが回転軸ＳＦの回転方向又は周方向（θ方向）に交互に配置された外周側の円環状磁石と、Ｓ極１７Ｅ及びＮ極１７Ｆがθ方向に交互に配置された内周側の円環状磁石とを備える。外周側の円環状磁石と内周側の円環状磁石とは、位相が１８０°ずれている。磁石１１Ａにおいて、内周側におけるＳ極１７ＥとＮ極１７Ｆとの境界は、外周側におけるＮ極１６ＥとＳ極１６Ｆとの境界と、θ方向の角度位置がほぼ一致している。このように磁石１１Ａは、θ方向に沿って平板状で、θ方向に沿って複数の極性（Ｎ極１６Ｅ、Ｓ極１６Ｆ等）を持つ。また、磁石１１Ａにおいて回転方向（移動方向）に直交する方向、すなわち本実施形態では回転軸ＳＦに対する半径方向（ラジアル方向）ＡＤ２を磁石１１Ａの幅方向とみなす。このとき、磁石１１Ａは、表面又は裏面においてθ方向に直交する幅方向（半径方向ＡＤ２）にも互いに異なる極性（Ｎ極１６Ｅ、Ｓ極１７Ｅ等）を有する。磁石１１Ａはθ方向に複数対（例えば１２対）の極性を持つように着磁された永久磁石である。本実施形態の磁石１１Ａの着磁方向（配向方向）は半径方向（ラジアル方向）ＡＤ２である。
【００６８】
本実施形態において、電気信号発生ユニット３１Ｄの感磁性部材４７は、磁石１１Ａの外側面の近傍において、長さ方向ＬＤ２が平板状の磁石１１Ａの表面に直交するように、配置されている。また、電気信号発生ユニット３１Ｄにおける感磁性部材４７の長さ方向ＬＤ２は、回転軸ＳＦに直交する磁石１１Ａの径方向（例、ラジアル方向）又は該径方向に平行な方向に離れて、上記半径方向ＡＤ２に直交するように配置されている。このとき、長さ方向ＬＤ２は、回転軸ＳＦの軸方向に平行である。言い替えると、本実施形態において、感磁性部材４７の長さ方向ＬＤ２は磁石１１Ａの着磁方向である半径方向（ラジアル方向）ＡＤ２に略直交しているとともに、θ方向（周方向）にも略直交している。また、感磁性部材４７の一端側の第１磁性体４５Ｄの先端部は、磁石１１Ａの外周側の一方の極性の部分（例えばＮ極１６Ｅ）の外側面の近傍に配置され、感磁性部材４７の他端側の第２磁性体４６Ｄの先端部は、磁石１１Ａの外周側の他方の極性（該一方の極性とは異なる極性）の部分（例えばＳ極１６Ｆ）の外側面の近傍に配置されている。言い替えると、第１、第２磁性体４５Ｄ，４６Ｄは、θ方向において異なる位置にある磁石１１Ａの互いに異なる極性の２つの部分（例えばＮ極１６Ｅ及びＳ極１６Ｆ）からの磁力線を感磁性部材４７の長さ方向ＬＤ２に導いている。この他の構成は第１の実施形態と同様である。
【００６９】
本実施形態においても、磁石１１Ａから第１磁性体４５Ｄ、感磁性部材４７、及び第２磁性体４６Ｄを通るように磁気回路ＭＣ３が形成される。また、図６（Ｃ）に示すように、磁石１１Ａの側面に発生する磁力線のうち、感磁性部材４７の長さ方向の略中心を通過する磁力線ＭＦ２の接線方向（ここではθ方向）に対して略直交するように、感磁性部材４７の長さ方向が配置されている。
【００７０】
磁石１１Ａの側面に発生する磁力線を含む電気信号発生ユニット３１Ｄにおけるパルス生成に不要な磁場成分は、感磁性部材４７の長さ方向に直交しており、その不要な磁場成分は、磁石１１Ａの回転に伴う交流磁界の反転による感磁性部材４７の一端から他端に向かう磁壁の発生には悪影響を与えない。このため、感磁性部材４７を磁石１１Ａの近傍に配置して、電気信号発生ユニット３１Ｄを小型化しても、その不要な磁場成分に影響されることなく、磁石１１Ａの回転による半径方向ＡＤ２の交流磁界の反転によって、電気信号発生ユニット３１Ｄを用いて効率的に安定した高出力のパルス（電気信号）を発生することができる。また、エンコーダ装置がバッテリー３２を備える場合に、電気信号発生ユニット３１Ｄで効率的に発生される電気信号を用いることによって、バッテリー３２のメンテナンス（例えば交換）をなくすか、あるいはバッテリー３２のメンテナンスの頻度を低くできる。
【００７１】
なお、本実施形態において、図６（Ｄ）及び（Ｅ）に示す変形例の電気信号発生ユニット３１Ｅのように、感磁性部材４７の一端側の第１磁性体４５Ｅの先端部を磁石１１Ａの外周側の一方の極性の部分（例えばＮ極１６Ｅ又はＳ極１６Ｆ等）の近傍に配置し、感磁性部材４７の他端側の第２磁性体４６Ｅの先端部を磁石１１Ａの内周側の異なる極性の部分（例えばＳ極１７Ｅ又はＮ極１７Ｆ等）の近傍に配置してもよい。この場合、第１、第２磁性体４５Ｅ，４６Ｅは、磁石１１Ａの幅方向（半径方向ＡＤ２）において異なる位置にある磁石１１Ａの互いに異なる極性の２つの部分（例えばＮ極１６Ｅ及びＳ極１７Ｅ）からの磁力線を感磁性部材４７の長さ方向に導いている。電気信号発生ユニット３１Ｅにおいても、磁石１１Ａから第１磁性体４５Ｅ、感磁性部材４７、及び第２磁性体４６Ｅを通るように磁気回路ＭＣ４が形成され、磁石１１Ａの側面の不要な磁界に影響されることなく、磁石１１Ａの回転による交流磁界の反転によって、感磁性部材４７が効率的に安定したパルスを出力できる。
【００７２】
［第３の実施形態］
第３の実施形態につき図７（Ａ）から（Ｃ）を参照して説明する。なお、図７（Ａ）から（Ｃ）において図６（Ａ）から（Ｃ）に対応する部分には同一の符号を付してその詳細な説明を省略する。
図７（Ａ）は本実施形態に係るエンコーダ装置の磁石１１Ａ及び電気信号発生ユニット３１Ｆを示す平面図、図７（Ｂ）は図７（Ａ）の磁石１１Ａを断面とした側面図である。図７（Ａ）、（Ｂ）において、磁石１１Ａは、回転によって回転軸ＳＦに対する半径方向ＡＤ２における磁界の向きおよび強さが変化するように構成されている。
【００７３】
本実施形態において、電気信号発生ユニット３１Ｆの感磁性部材４７は、内側に空間Ｋを有する磁石１１Ａの内側面の近傍において、長さ方向ＬＤ２が平板状の磁石１１Ａの表面に直交するように、空間Ｋに配置されている。また、電気信号発生ユニット３１Ｆにおける感磁性部材４７の長さ方向ＬＤ２は、回転軸ＳＦに直交する磁石１１Ａの径方向（例、ラジアル方向）又は該径方向に平行な方向に離れて、上記半径方向ＡＤ２に直交するように配置されている。本実施形態において、感磁性部材４７の長さ方向ＬＤ２は磁石１１Ａの着磁方向である半径方向（ラジアル方向）ＡＤ２に略直交しているとともに、回転軸ＳＦの軸方向（アキシャル方向）に略平行である。また、感磁性部材４７の一端側の第１磁性体４５Ｆの先端部は、磁石１１Ａの内周側の一方の極性の部分（例えばＮ極１７Ｆ）の内側面の近傍に配置され、感磁性部材４７の他端側の第２磁性体４６Ｆの先端部は、磁石１１Ａの内周側の他方の極性の部分（例えばＳ極１７Ｅ）の内側面の近傍に配置されている。言い替えると、第１、第２磁性体４５Ｆ，４６Ｆは、θ方向において異なる位置にある磁石１１Ａの互いに異なる極性の２つの部分（例えばＮ極１７Ｆ及びＳ極１７Ｅ）からの磁力線を感磁性部材４７の長さ方向ＬＤ２に導いている。この他の構成は第１の実施形態と同様である。
【００７４】
本実施形態においても、磁石１１Ａから第１磁性体４５Ｆ、感磁性部材４７、及び第２磁性体４６Ｆを通るように磁気回路ＭＣ５が形成される。また、磁石１１Ａの内側面に発生する磁力線のうち、感磁性部材４７の長さ方向ＬＤ２の略中心を通過する磁力線の接線方向（ここではθ方向）に対して略直交するように、感磁性部材４７の長さ方向が配置されている。
磁石１１Ａの内側面に発生する磁力線を含む電気信号発生ユニット３１Ｆにおけるパルス生成に不要な磁場成分は、感磁性部材４７の長さ方向に直交しており、その不要な磁場成分は、磁石１１Ａの回転に伴う交流磁界の反転による感磁性部材４７の一端から他端に向かう磁壁の発生には悪影響を与えない。このため、感磁性部材４７を磁石１１Ａの内側面に配置して、電気信号発生ユニット３１Ｆを小型化しても、その不要な磁場成分に影響されることなく、磁石１１Ａの回転による半径方向ＡＤ２の交流磁界の反転によって、電気信号発生ユニット３１Ｆを用いて効率的に安定した高出力のパルス（電気信号）を発生することができる。この他の効果は上述の実施形態と同様である。
【００７５】
なお、本実施形態において、図７（Ｃ）に示す変形例の電気信号発生ユニットのように、感磁性部材４７を、磁石１１Ａの外側面において、その外側面に感磁性部材４７の長さ方向がほぼ垂直になるように配置してもよい。この場合、感磁性部材４７の一端側の磁性体４５Ｆ１の先端部は、磁石１１Ａの外周側の一方の極性の部分（例えばＮ極１６Ｅ又はＳ極１６Ｆ等）の近傍に配置され、感磁性部材４７の他端は、磁石１１Ａの外周側の異なる極性の部分（例えばＳ極１６Ｆ又はＮ極１６Ｅ等）の近傍に配置される。この場合、磁性体４５Ｆ１の一端は感磁性部材４７の一端側の近傍に配置され、磁性体４５Ｆ１の他端は磁石１１Ａの外周側の一方の極性の部分の近傍に配置される。言い替えると、この変形例では、他方の磁性体（第１磁性体又は第２磁性体）が省略されている。この変形例において、感磁性部材４７の長さ方向は磁石１１Ａの着磁方向である半径方向（ラジアル方向）に略平行であるとともに、θ方向（周方向）に略直交している。
【００７６】
この変形例では、磁石１１Ａから磁性体４５Ｆ１及び感磁性部材４７を通るように磁気回路ＭＣ５１が形成され、磁石１１Ａの側面の不要な磁界に影響されることなく、磁石１１Ａの回転による交流磁界の反転によって、感磁性部材４７が効率的に安定的なパルスを出力できる。
［第４の実施形態］
第４の実施形態につき図８（Ａ）から（Ｅ）を参照して説明する。なお、図８（Ａ）から（Ｅ）において図３（Ａ）から（Ｃ）に対応する部分には同一の符号を付してその詳細な説明を省略する。
【００７７】
図８（Ａ）は本実施形態に係るエンコーダ装置の磁石１１及び電気信号発生ユニット３１Ｇを示す平面図、図８（Ｂ）及び（Ｃ）は図８（Ａ）の磁石１１を断面で表した側面図である。図８（Ａ）、（Ｂ）において、磁石１１は、回転によって回転軸ＳＦに平行な軸方向（アキシャル方向）ＡＤ１における磁界の向きおよび強さが変化するように構成される。磁石１１は、θ方向に複数の極性（例えばＮ極１６Ａ及びＳ極１６Ｂ）を持ち、θ方向に直交する厚さ方向（半径方向ＡＤ２）にも互いに異なる２つの極性の部分（例えばＮ極１６Ａ及びＳ極１７Ａ）を持つ。磁石１１の着磁方向は軸方向（アキシャル方向）ＡＤ１である。
【００７８】
本実施形態において、電気信号発生ユニット３１Ｇの感磁性部材４７は、磁石１１の外側面の近傍において、感磁性部材４７の長さ方向ＬＤ３が平板状の磁石１１の表面に平行であるとともに、長さ方向ＬＤ３が磁石１１の外側面に垂直になるように配置されている。また、電気信号発生ユニット３１Ｇにおける感磁性部材４７の長さ方向ＬＤ３は、回転軸ＳＦに直交する磁石１１の径方向（例、ラジアル方向）又は該径方向に平行な方向に離れて、上記軸方向ＡＤ１に直交するように配置されている。本実施形態において、感磁性部材４７の長さ方向ＬＤ３は磁石１１の着磁方向である軸方向ＡＤ１に略直交しているとともに、回転軸ＳＦの半径方向に略平行であり、θ方向（周方向）に略直交している。また、感磁性部材４７の一端側の第１磁性体４５Ｇの先端部は、磁石１１の表面側の一方の極性の部分（例えばＮ極１６Ａ）の近傍に配置され、感磁性部材４７の他端側の第２磁性体４６Ｇの先端部は、磁石１１の裏面側の他方の極性の部分（例えばＳ極１７Ａ）の近傍に配置されている。言い替えると、第１、第２磁性体４５Ｇ，４６Ｇは、θ方向において同じ角度位置にある磁石１１の互いに異なる極性の２つの部分（例えばＮ極１６Ａ及びＳ極１７Ａ）からの磁力線を感磁性部材４７の長さ方向ＬＤ３に導いている。この他の構成は第１の実施形態と同様である。
【００７９】
本実施形態においても、磁石１１から第１磁性体４５Ｇ、感磁性部材４７、及び第２磁性体４６Ｇを通るように磁気回路ＭＣ６が形成される。また、図８（Ｃ）に示すように、磁石１１の側面に発生する磁力線のうち、感磁性部材４７の長さ方向ＬＤ３の略中心を通過する磁力線ＭＦ３の接線方向ＭＤ３（ここでは軸方向ＡＤ１に平行）に対して略直交するように、感磁性部材４７の長さ方向ＬＤ３が配置されている。
【００８０】
磁石１１の側面に発生する磁力線を含む電気信号発生ユニット３１Ｇにおけるパルス生成に不要な磁場成分は、感磁性部材４７の長さ方向に直交しており、その不要な磁場成分は、磁石１１の回転に伴う交流磁界の反転による感磁性部材４７の一端から他端に向かう磁壁の発生には悪影響を与えない。このため、感磁性部材４７を磁石１１の近傍に配置して、電気信号発生ユニット３１Ｇを小型化しても、その不要な磁場成分に影響されることなく、磁石１１の回転による軸方向ＡＤ１の交流磁界の反転によって、電気信号発生ユニット３１Ｇを用いて効率的に安定した高出力のパルス（電気信号）を発生することができる。この他の効果は第１の実施形態と同様である。
【００８１】
なお、本実施形態において、図８（Ｄ）及び（Ｅ）に示す変形例の電気信号発生ユニット３１Ｈのように、感磁性部材４７の一端側の第１磁性体４５Ｈの先端部を磁石１１の表面側の一方の極性の部分（例えばＮ極１６Ａ又はＳ極１６Ｂ等）の近傍に配置し、感磁性部材４７の他端側の第２磁性体４６Ｈの先端部を磁石１１の表面側の異なる極性の部分（例えばＳ極１６Ｄ又はＮ極１６Ａ等）の近傍に配置してもよい。この場合、第１、第２磁性体４５Ｈ，４６Ｈは、磁石１１のθ方向において異なる位置にある磁石１１の互いに異なる極性の２つの部分（例えばＮ極１６Ａ及びＳ極１６Ｄ）からの磁力線を感磁性部材４７の長さ方向に導いている。電気信号発生ユニット３１Ｈにおいても、磁石１１から第１磁性体４５Ｈ、感磁性部材４７、及び第２磁性体４６Ｈを通るように磁気回路ＭＣ７が形成され、磁石１１の側面の不要な磁界に影響されることなく、磁石１１の回転による交流磁界の反転によって、感磁性部材４７が効率的に安定したパルスを出力できる。
【００８２】
［第５の実施形態］
第５の実施形態につき図９（Ａ）及び（Ｂ）を参照して説明する。なお、図９（Ａ）及び（Ｂ）において図３（Ａ）から（Ｃ）に対応する部分には同一の符号を付してその詳細な説明を省略する。
図９（Ａ）は本実施形態に係るエンコーダ装置の磁石１１Ｂ、磁気センサ５１，５２（磁気検出部１２）、及び電気信号発生ユニット３１Ａを示す平面図、図９（Ｂ）及は図９（Ａ）の磁石１１Ｂを断面で表した側面図である。図９（Ａ）、（Ｂ）において、磁石１１Ｂは、開き角が１８０°の扇型のＮ極１６Ｇ及びＳ極１６Ｈが回転軸ＳＦの回転方向（θ方向）に配置された外周側の円環状磁石と、開き角が１８０°の扇型のＳ極１６Ｊ及びＮ極１６Ｉがθ方向に配置された内周側の円環状磁石とを備える。また、外周側のＮ極１６Ｇ及びＳ極１６Ｈの裏面に、同じ形状で極性が異なるＳ極１７Ｇ及びＮ極１７Ｈが貼着され、内周側のＮ極１６Ｉ及びＳ極１６Ｊの裏面に、同じ形状で極性が異なるＳ極１７Ｉ及びＮ極１７Ｊが貼着されている。このように磁石１１Ｂの外周側の円環状磁石と内周側の円環状磁石とは位相が１８０°ずれている。また、磁石１１Ｂは厚さ方向（軸方向ＡＤ１）にも互いに異なる２つの極性を有する。磁石１１Ｂにおいて、内周側におけるＳ極１６ＪとＮ極１６Ｉとの境界は、外周側におけるＮ極１６ＧとＳ極１６Ｈとの境界と、θ方向の角度位置がほぼ一致している。
【００８３】
本実施形態において、電気信号発生ユニット３１Ａの感磁性部材４７は、磁石１１Ｂの外側面の近傍において、感磁性部材４７の長さ方向が平板状の磁石１１Ｂの表面に平行であるとともに、長さ方向が回転軸ＳＦの回転方向（θ方向）に平行になるように配置されている。また、感磁性部材４７の一端側の第１磁性体４５Ａの先端部は、磁石１１Ｂの表面側の一方の極性の部分（例えばＳ極１６Ｈ）の近傍に配置され、感磁性部材４７の他端側の第２磁性体４６Ａの先端部は、磁石１１Ｂの裏面側の他方の極性の部分（例えばＮ極１７Ｈ）の近傍に配置されている。言い替えると、第１、第２磁性体４５Ａ，４６Ａは、θ方向において同じ角度位置にある磁石１１Ｂの互いに異なる極性の２つの部分（例えばＳ極１６Ｈ及びＮ極１７Ｈ）からの磁力線を感磁性部材４７の長さ方向に導いている。
【００８４】
また、磁石１１Ｂの表面の近傍において、内周側の円環状磁石と外周側の円環状磁石との境界部を跨ぐように、磁気センサ５１及び５２が配置されている。磁気センサ５１及び５２の角度は、例えばほぼ９０°である。この他の構成は第１の実施形態と同様である。本実施形態において、磁石１１Ｂの電気信号発生ユニット３１Ａに対する着磁方向は軸方向（アキシャル方向）ＡＤ１であり、磁気センサ５１，５２に対する着磁方向は半径方向（ラジアル方向）である。また、感磁性部材４７の長さ方向は磁石１１Ｂの着磁方向である軸方向ＡＤ１に略直交しているとともに、θ方向（周方向）に略平行である。本実施形態においても、磁石１１Ｂから第１磁性体４５Ａ、感磁性部材４７、及び第２磁性体４６Ａを通るように磁気回路ＭＣ１が形成される。また、磁石１１Ｂの側面に発生する磁力線のうち、感磁性部材４７の長さ方向の略中心を通過する磁力線の接線方向（ここでは軸方向ＡＤ１に平行）に対して略直交するように、感磁性部材４７の長さ方向が配置されている。
【００８５】
磁石１１Ｂの側面に発生する磁力線を含む電気信号発生ユニット３１Ａにおけるパルス生成に不要な磁場成分は、感磁性部材４７の長さ方向に直交しており、その不要な磁場成分は、磁石１１Ｂの回転に伴う交流磁界の反転による感磁性部材４７の一端から他端に向かう磁壁の発生には悪影響を与えない。このため、感磁性部材４７を磁石１１Ｂの近傍に配置して、電気信号発生ユニット３１Ａを小型化しても、その不要な磁場成分に影響されることなく、磁石１１Ｂの回転による軸方向ＡＤ１の交流磁界の反転によって、電気信号発生ユニット３１Ａを用いて効率的に安定した高出力のパルス（電気信号）を発生することができる。
さらに、磁気センサ５１及び５２は、それぞれ磁石１１Ｂの内周側の円環状磁石と外周側の円環状磁石との間に発生する磁力線ＭＦ４を含む磁界の変化を検出することができる。本実施形態におけるエンコーダ装置は、磁気センサ５１及び５２の検出結果を用いて回転軸ＳＦの角度及び多回転情報を求めることができる。この他の効果は第１の実施形態と同様である。
【００８６】
［第６の実施形態］
第６の実施形態につき図１０（Ａ）及び（Ｂ）を参照して説明する。なお、図１０（Ａ）及び（Ｂ）において図９（Ａ）及び（Ｂ）に対応する部分には同一の符号を付してその詳細な説明を省略する。
【００８７】
図１０（Ａ）は本実施形態に係るエンコーダ装置の光学式センサ用の回転ディスク１１Ｄ、磁気センサ５１，５２、光学式センサ２１Ａ、及び電気信号発生ユニット３１Ａを示す平面図、図１０（Ｂ）及は図１０（Ａ）の磁石１１Ｂを断面で表した側面図である。図１０（Ａ）、（Ｂ）において、磁石１１Ｂの表面に円環状の回転ディスク１１Ｄ（実際には回転軸ＳＦが通る開口（不図示）が設けられている）が固定されている。回転ディスク１１Ｄ及び磁石１１Ｂは、回転軸ＳＦと連動してθ方向に回転する。回転ディスク１１Ｄの表面には、同心円状にインクリメンタルスケール１１Ｄａ及びアブソリュートスケール１１Ｄｂが形成されている。また、電気信号発生ユニット３１Ａの第１磁性体４５Ａの先端部と磁石１１Ｂの表面との間には回転ディスク１１Ｄが配置されている。電気信号発生ユニット３１Ａの磁気回路ＭＣ１は回転ディスク１１Ｄを通るように形成される。
【００８８】
また、光学式センサ２１Ａは、照明光を発生する発光素子２１Ａａと、発光素子２１Ａａから発生してインクリメンタルスケール１１Ｄａ及びアブソリュートスケール１１Ｄｂで反射された照明光を受光する受光センサ２１Ａｂ及び２１Ａｃとを備える。本実施形態におけるエンコーダ装置は、受光センサ２１Ａｂ及び２１Ａｃの検出信号を図１の検出部２３と同様の検出部（不図示）で処理することによって、回転軸ＳＦが所定の基準角度から所定角度回転する毎に積算される回転角度及び回転軸ＳＦの１回転内での絶対角度位置を求めることができる。また、その相対角度位置が３６０°を超えるたびに１つの計数を行うことによって、回転軸ＳＦの多回転情報も求めることができる。
【００８９】
同様に、本実施形態におけるエンコーダ装置は、磁気センサ５１及び５２の検出結果を用いて回転軸ＳＦの回転角度及び多回転情報を求めることができる。また、磁石１１Ｂの側面に発生する磁力線を含む電気信号発生ユニット３１Ａにおけるパルス生成に不要な磁場成分は、感磁性部材４７の長さ方向に直交しており、その不要な磁場成分は、磁石１１Ｂの回転に伴う交流磁界の反転による感磁性部材４７の一端から他端に向かう磁壁の発生には悪影響を与えない。このため、感磁性部材４７を磁石１１Ｂの近傍に配置して、電気信号発生ユニット３１Ａを小型化しても、その不要な磁場成分に影響されることなく、磁石１１Ｂの回転による軸方向ＡＤ１の交流磁界の反転によって、電気信号発生ユニット３１Ａを用いて効率的に安定した高出力のパルス（電気信号）を発生することができる。この他の効果は第１の実施形態と同様である。
【００９０】
なお、上述の実施形態及び変形例のように、複数の電気信号発生ユニットが設けられる場合に、電気信号発生ユニット３１Ａから出力される電力は、多回転情報を検出するための検出信号として利用されてもよいし、検出系などへの供給に利用されてもよい。
なお、上述の第１実施形態において、磁石１１は、周方向に４極と厚さ方向に２極とを有する８極の磁石であるが、このような構成に限定されず適宜変更できる。例えば、磁石１１は、周方向の極数が２極又は４極以上であってもよい。
【００９１】
なお、上述の実施形態において、位置検出系１は、位置情報として回転軸ＳＦ（移動部）の回転位置情報を検出するが、位置情報として所定方向の位置、速度、加速度の少なくとも一つを検出してもよい。エンコーダ装置ＥＣは、ロータリーエンコーダを含んでもよいし、リニアエンコーダを含んでもよい。また、エンコーダ装置ＥＣは、発電部及び検出部が回転軸ＳＦに設けられ、磁石１１が移動体（例、回転軸ＳＦ）の外部に設けられることで、磁石と検出部との相対位置が移動部の移動に伴って変化するものでもよい。また、位置検出系１は回転軸ＳＦの多回転情報を検出しなくてもよく位置検出系１の外部の処理部により多回転情報を検出してもよい。
【００９２】
上述の実施形態において、電気信号発生ユニット３１Ａ，３１Ｂは、磁石１１と所定の位置関係となった際に電力（電気信号）を発生する。位置検出系１は電気信号発生ユニット３１Ａ，３１Ｂに発生する電力（信号）の変化を検出信号に用いて、移動部（例、回転軸ＳＦ）の位置情報（例、多回転情報又は角度位置情報を含む回転位置情報）を検出（計数）してもよい。例えば、電気信号発生ユニット３１Ａ，３１Ｂをセンサ（位置センサ）として用いてもよく、位置検出系１は、電気信号発生ユニット３１Ａ，３１Ｂ及び１つ以上のセンサ（例、磁気センサ、受光センサ）により、移動部の位置情報を検出してもよい。また、電気信号発生ユニットの数が２つ以上である場合、位置検出系１は、２つ以上の電気信号発生ユニットをセンサとして用いて位置情報を検出してもよい。例えば、位置検出系１は、２つ以上の電気信号発生ユニットをセンサとして用い、磁気センサを用いないで移動部の位置情報を検出してもよいし、受光センサを用いないで移動部の位置情報を検出してもよい。また、上記の磁気センサと同様に、位置検出系１は、２つ以上の電気信号発生ユニットをセンサとして用いて、２つ以上の電気信号に基づいて回転軸ＳＦの回転方向を判別してもよい。
【００９３】
また、電気信号発生ユニット３１Ａ，３１Ｂは、位置検出系１で消費される電力の少なくとも一部を供給してもよい。例えば、電気信号発生ユニット３１Ａ，３１Ｂは、位置検出系１のうち消費電力が相対的に小さい処理部に対して、電力を供給してもよい。また、電気供給系２は、位置検出系１の一部に対して電力を供給しなくてもよい。例えば、電力供給系２は、検出部１３に間欠的に電力を供給し、記憶部１４へ電力を供給しなくてもよい。この場合、電力供給系２の外部に設けられる電源、バッテリーなどから記憶部１４に対して、間欠的または連続的に電力が供給されてもよい。発電部は、大バルクハウゼンジャンプ以外の現象により電力が発生するものでもよく、例えば移動部（例えば回転軸ＳＦ）及び位置検出系１の一部に対して電力を供給しなくてもよい。例えば、電力供給系２は、検出部１３に間欠的に電力を供給し、記憶部１４へ電力を供給しなくてもよい。この場合、電力供給系２の外部に設けられる電源、バッテリーなどから記憶部１４に対して、間欠的または連続的に電力が供給されてもよい。発電部は、大バルクハウゼンジャンプ以外の現象により電力が発生するものでもよく、例えば移動部（例えば回転軸ＳＦ）の移動に伴う磁界の変化に伴う電磁誘導により、電力を発生するものでもよい。検出部の検出結果を記憶する記憶部は、位置検出系１の外部に設けられてもよく、エンコーダ装置ＥＣの外部に設けられてもよい。
【００９４】
［駆動装置］
駆動装置の一例について説明する。図１１は、駆動装置ＭＴＲの一例を示す図である。以下の説明において、上記した実施形態と同一または同等の構成部分については同一符号を付けて説明を省略または簡略化する。この駆動装置ＭＴＲは、電動モータを含むモータ装置である。駆動装置ＭＴＲは、回転軸ＳＦと、回転軸ＳＦを回転駆動する本体部（駆動部）ＢＤと、回転軸ＳＦの回転位置情報を検出するエンコーダ装置ＥＣとを有している。
【００９５】
回転軸ＳＦは、負荷側端部ＳＦａと、反負荷側端部ＳＦｂとを有している。負荷側端部ＳＦａは、減速機など他の動力伝達機構に接続される。反負荷側端部ＳＦｂには、固定部を介してスケールＳが固定される。このスケールＳの固定とともに、エンコーダ装置ＥＣが取り付けられている。エンコーダ装置ＥＣは、上述した実施形態、変形例、あるいはその組み合わせに係るエンコーダ装置である。
【００９６】
この駆動装置ＭＴＲは、エンコーダ装置ＥＣの検出結果を使って、図１に示したモータ制御部ＭＣが本体部ＢＤを制御する。駆動装置ＭＴＲは、エンコーダ装置ＥＣのバッテリー交換の必要性が無いもしくは低いので、メンテナンスコストを減らすことができる。なお、駆動装置ＭＴＲは、モータ装置に限定されず、油圧や空圧を利用して回転する軸部を有する他の駆動装置であってもよい。
【００９７】
［ステージ装置］
ステージ装置の一例について説明する。図１２は、ステージ装置ＳＴＧを示す。このステージ装置ＳＴＧは、図１１に示した駆動装置ＭＴＲの回転軸ＳＦのうち負荷側端部ＳＦａに、回転テーブル（移動物体）ＴＢを取り付けた構成である。以下の説明において、上記した実施形態と同一または同等の構成部分については同一符号を付けて説明を省略または簡略化する。
【００９８】
ステージ装置ＳＴＧは、駆動装置ＭＴＲを駆動して回転軸ＳＦを回転させると、この回転が回転テーブルＴＢに伝達される。その際、エンコーダ装置ＥＣは、回転軸ＳＦの角度位置等を検出する。従って、エンコーダ装置ＥＣからの出力を用いることにより、回転テーブルＴＢの角度位置を検出することができる。なお、駆動装置ＭＴＲの負荷側端部ＳＦａと回転テーブルＴＢとの間に減速機等が配置されてもよい。
ステージ装置ＳＴＧは、エンコーダ装置ＥＣのバッテリー交換の必要性が低い又は無いので、メンテナンスコストを減らすことができる。なお、ステージ装置ＳＴＧは、例えば、旋盤等の工作機械に備える回転テーブル等に適用できる。
【００９９】
［ロボット装置］
ロボット装置の一例について説明する。図１３は、ロボット装置ＲＢＴを示す斜視図である。なお、図１３には、ロボット装置ＲＢＴの一部（関節部分）を模式的に示した。以下の説明において、上記した実施形態と同一または同等の構成部分については同一符号を付けて説明を省略または簡略化する。このロボット装置ＲＢＴは、第１アームＡＲ１と、第２アームＡＲ２と、関節部ＪＴとを有している。第１アームＡＲ１は、関節部ＪＴを介して、第２アームＡＲ２と接続されている。
【０１００】
第１アームＡＲ１は、腕部１０１、軸受１０１ａ、及び軸受１０１ｂを備えている。第２アームＡＲ２は、腕部１０２及び接続部１０２ａを有する。接続部１０２ａは、関節部ＪＴにおいて、軸受１０１ａと軸受１０１ｂの間に配置されている。接続部１０２ａは、回転軸ＳＦ２と一体的に設けられている。回転軸ＳＦ２は、関節部ＪＴにおいて  軸受１０１ａと軸受１０１ｂの両方に挿入されている。回転軸ＳＦ２のうち軸受１０１ｂに挿入される側の端部は、軸受１０１ｂを貫通して減速機ＲＧに接続されている。
【０１０１】
減速機ＲＧは、駆動装置ＭＴＲに接続されており、駆動装置ＭＴＲの回転を例えば１００分の１等に減速して回転軸ＳＦ２に伝達する。図１３に図示しないが、駆動装置ＭＴＲの回転軸ＳＦのうち負荷側端部ＳＦａは、減速機ＲＧに接続されている。また、駆動装置ＭＴＲの回転軸ＳＦのうち反負荷側端部ＳＦｂには、エンコーダ装置ＥＣのスケールＳが取り付けられている。
【０１０２】
ロボット装置ＲＢＴは、駆動装置ＭＴＲを駆動して回転軸ＳＦを回転させると、この回転が減速機ＲＧを介して回転軸ＳＦ２に伝達される。回転軸ＳＦ２の回転により接続部１０２ａが一体的に回転し、これにより第２アームＡＲ２が、第１アームＡＲ１に対して回転する。その際、エンコーダ装置ＥＣは、回転軸ＳＦの角度位置等を検出する。従って、エンコーダ装置ＥＣからの出力により、第２アームＡＲ２の角度位置を検出することができる。
【０１０３】
ロボット装置ＲＢＴは、エンコーダ装置ＥＣのバッテリー交換の必要性が無いもしくは低いので、メンテナンスコストを減らすことができる。なお、ロボット装置ＲＢＴは、上記の構成に限定されず、駆動装置ＭＴＲは、関節を備える各種ロボット装置に適用できる。
【符号の説明】
【０１０４】
１…位置検出系、３…多回転情報検出部、４…角度検出部、１１，１１Ａ…磁石、１２…磁気検出部、１３…検出部、１４…記憶部、２１…発光素子（照射部）、２２…受光センサ（光検出部）、３１Ａ，３１Ｂ…電気信号発生ユニット、３２…バッテリー、３３…切替部、３６…一次電池、３７…二次電池、４１Ａ，４１Ｂ…感磁性部、４２Ａ，４２Ｂ…発電部、４３Ａ，４３Ｂ…ケース、４５Ａ…第１磁性体、４６Ａ…第２磁性体、４７…感磁性部材、５１，５２…磁気センサ、６３…レギュレータ、６４…スイッチ、６７…計数器、ＥＣ…エンコーダ装置、ＳＦ…回転軸、ＡＲ１…第１アーム、ＡＲ２…第２アーム、ＭＴＲ…駆動装置、ＲＢＴ…ロボット装置、ＳＴＧ…ステージ装置
【図１】
2019139023.tif 000003
【図２】
2019139023.tif 000004
【図３】
2019139023.tif 000005
【図４】
2019139023.tif 000006
【図５】
2019139023.tif 000007
【図６】
2019139023.tif 000008
【図７】
2019139023.tif 000009
【図８】
2019139023.tif 000010
【図９】
2019139023.tif 000011
【図１０】
2019139023.tif 000012
【図１１】
2019139023.tif 000013
【図１２】
2019139023.tif 000014
【図１３】
2019139023.tif 000015
【国際調査報告】
2019139023.tif 000016
2019139023.tif 000017
2019139023.tif 000018
2019139023.tif 000019